(57)【要約】      （修正有）【課題】従来使用されているナースコールのボタンの押圧操作を止め、患者等の身体の一部が接近叉は接触することで反応するシート状叉はパネル状のナースコールスイッチを提供する。【解決手段】手部が不自由な患者が手部や足部を接近又は接触することにより、ナースコールが可能なナースコールスイッチ１ａであって、該ナースコールスイッチ１ａは、手部や足部を容易に接近叉は接触することが可能な面積を有し、裏面にベッドの所定箇所に係止する係止手段５０が設けられた樹脂製の袋体８と、該袋体８の内部に収納されており、四辺形の樹脂板よりなる基板４と、該基板４の表面の略全面に電極板５が設けられたシート状叉はパネル状のセンサー部２ａと、該センサー部２ａで検知した変化を基準値と比較・演算し、該比較・演算した演算結果を電気信号としてナースコール装置及び／叉は監視端末機に送信する制御部３ａとを含んで構成されている。【選択図】図１
0003209045.tif 000002
【実用新案登録請求の範囲】
【請求項１】
手部が不自由な患者が手部や足部を接近又は接触することにより、ナースコールが可能なナースコールスイッチであって、該ナースコールスイッチは、
手部や足部を容易に接近叉は接触することが可能な面積を有し、裏面にベッドの所定箇所に係止する係止手段が設けられた樹脂製の袋体と、
該袋体の内部に収納されており、四辺形の樹脂板よりなる基板と、該基板の表面の略全面に電極板が設けられたシート状叉はパネル状のセンサー部と、
該センサー部で検知した変化を基準値と比較・演算し、該比較・演算した演算結果を電気信号としてナースコール装置及び／叉は監視端末機に送信する制御部と、
を含んで構成されていることを特徴とするナースコールスイッチ。
【請求項２】
前記センサー部は、静電容量型センサー、電磁誘導型センサー又は荷重検知型センサーのいずれかであることを特徴とする請求項１に記載のナースコールスイッチ。
【請求項３】
前記袋体の内部には前記制御部が収納されており、この袋体の周縁の一部が開口叉は開閉可能に形成されていることを特徴とする請求項１に記載のナースコールスイッチ。
【請求項４】
前記袋体の裏面には前記制御部が取付けられており、この制御部を除く前記袋体の裏面には裏板が設けられていることを特徴とする請求項１に記載のナースコールスイッチ。
【請求項５】
前記制御部の電気信号の送信手段は、無線送信方式または有線送信方式であることを特徴とする請求項１、請求項３叉は請求項４のいずれかに記載のナースコールスイッチ。
【請求項６】
前記係止手段は、前記袋体の周縁叉は裏面に固定叉は着脱自在に取付けられており、ベッドのヘッドボード、フットボード、移動介助バー或いはベッド柵に着脱自在に係止する係止部が設けられていることを特徴とする請求項１〜５のいずれかに記載のナースコールスイッチ。
【考案の詳細な説明】
【技術分野】
【０００１】
本考案は、病院などの医療機関や福祉施設等（以下、病院等という）に配置されたベッドを利用する患者や身体障害者（以下、患者等という）が、看護師や介護者（以下、看護師等という）を呼ぶ際に使用されるナースコールスイッチに関するものである。
【背景技術】
【０００２】
病院等に配置されたベッドを利用する患者等が、看護師等を呼ぶ際にはナースコールが使用されている。該ナースコールは患者等がナースコールスイッチのボタンを押圧操作することにより、ナースセンター等のランプが点灯するスイッチとして機能するものであり、ナースセンターの看護師等は、患者等によるナースコールスイッチの操作により、特定の患者等がサービスを要求していることを知る手段として使用されている。
【０００３】
しかしながら、ナースコールスイッチはベッド上の患者等の上半身部周辺に移動自在に置かれているため、置かれた位置が安定せず、必要の都度患者等がナースコールスイッチを探してボタンを押さなければならないという煩雑さがあった。また、ナースコールスイッチのボタン操作は、手部が不自由な患者等はナースコールスイッチのボタン操作が非常に困難であった。
【０００４】
これを解決する手段として、手部が不自由な患者等が使用できるナースコールスイッチが提案されている。例えば、ベッド柵に係止されたナースコールスイッチのボタン上に紐を掛け、該紐を口で咥えて引くか、拳や肘でボタンを押圧すことによりスイッチが入るナースコールスイッチの支持具が開示されている（特許文献１参照。）。また、ナースコールスイッチの筒状部を支持部で把持して、ベッド柵に係止するナースコールスイッチ保持具が開示されている（先行技術文献２参照。）。
【先行技術文献】
【特許文献】
【０００５】
【特許文献１】特開２００７−８２７５４号公報
【特許文献２】特開２０１４−６８９５１号公報
【考案の概要】
【考案が解決しようとする課題】
【０００６】
しかしながら、特許文献１に記載のナースコールスイッチの支持具は、ナースコールスイッチを支持具でベッド柵に係止し、該支持具から張設した紐を口で咥えて引くことによりナースコールスイッチのボタンを押し下げるか、拳や肘でナースコールスイッチのボタンを押すとしているが、手部が不自由な患者等が使用できるものではない。また、特許文献２に記載のナースコールスイッチ保持具は、ナースコールスイッチの筒状部を把持してベッド柵に係止するものであり、前記と同様に手部が不自由でナースコールのボタンを押すことが困難な患者等が使用できるものではない。
【０００７】
本考案は、前記課題を解決するために成されたものであり、ナースコールスイッチのボタンの押圧操作を止め、患者等が手部や足部を容易に接近叉は接触することが可能な面積を有した、シート状叉はパネル状のナースコールスイッチを提供することを目的としている。
【課題を解決するための手段】
【０００８】
本考案の請求項１に係るナースコールスイッチは、手部が不自由な患者が手部や足部を接近又は接触することにより、ナースコールすることが可能なナースコールスイッチである。該ナースコールスイッチは、手部や足部を容易に接近叉は接触することが可能な面積を有し、裏面にベッドの所定箇所に係止する係止手段が設けられた樹脂製の袋体と、該袋体の内部に収納されており、四辺形の樹脂板よりなる基板と、該基板の表面の略全面に電極板が設けられたシート状叉はパネル状のセンサー部と、該センサー部で検知した変化を基準値（閾値：スレッショルドレベル）と比較・演算し、該比較・演算した演算結果を電気信号としてナースコール装置及び／叉は監視端末機（パソコン、携帯端末、ＰＨＳ端末など）に送信する制御部とを含んで構成されている。
【０００９】
前記ナースコールスイッチは、ベッド柵等に係止して使用されるものであり、例えば、縦２５ｃｍ×横６０ｃｍのシート状叉はパネル状に形成されている。患者等は身体の一部である手部や足部等を前記ナースコールスイッチの表面に接近又は接触させるだけで、ナースコールセンター等に特定の患者等がサービスを要求していることを知らせることができる。
【００１０】
本考案の請求項２に係るナースコールスイッチは、センサー部が静電容量型センサー、電磁誘導型センサー又は荷重検知型センサーのいずれかのナースコールスイッチである。静電容量型センサーは、人体の接近又は接触に反応する静電容量の変化を電気信号に変換して、人体の接近叉は接触を検出する方式である。電磁誘導型センサーは、人体の接近又は接触に反応する誘導電磁波の変化を電気信号に変換して、人体の接近叉は接触を検出する方式である。荷重検知型センサーは、人体の接近又は接触に反応する電圧の変化叉は抵抗の変化を電気信号に変換して、人体の接近叉は接触を検出する方式である。
【００１１】
本考案の請求項３に係るナースコールスイッチは、袋体の内部に制御部が収納されている。この制御部は、無線送信方式では電源回路としてボタン電池が収納されているので、該ボタン電池の交換叉は制御部のメンテナンス用として、前記袋体の周縁の一部が開口叉は開閉可能に形成されている。一方、有線送信方式では送信ケーブルが接続され、電源回路にはＡＣアダプターが接続されているので、前記袋体の周縁の一部が開口されている。
【００１２】
本考案の請求項４に係るナースコールスイッチは、センサー部を構成する袋体の裏面に制御部が取付けられている。該制御部を除く前記袋体の裏面の所定位置には、裏板が設けられている。この裏板は電気絶縁用材料、例えば、ウレタン樹脂が用いられている。前記裏板は、金属製のベッド柵とセンサー部を電気的に絶縁する作用、ベッド柵にセンサー部がぴったり合う（フィットする）ようにする緩衝材としての作用、及びセンサー部に手指等を接触させた時の「当り音」を消音する効果がある。
【００１３】
本考案の請求項５に係るナースコールスイッチは、前記制御部の電気信号の送信手段は、無線送信方式または有線送信方式である。
【００１４】
本考案の請求項６に係るナースコールスイッチは、人体の一部が接近または接触可能な位置にある備品又はベッドのヘッドボード、フットボード、移動介助バー或いはベッド柵に着脱自在に係止する係止手段が、袋体の裏面に固着叉は着脱自在に取付けられている。該係止手段は設置場所に対応した係止具、例えば、各種フック、鎖、紐、吸盤、磁石等を適用することができる。
【考案の効果】
【００１５】
本考案のナースコールスイッチは、手部や足部を容易に接近叉は接触することが可能な面積を有したシート状叉はパネル状に形成されているので、患者等は身体の一部である手部や足部等を前記ナースコールスイッチの表面に接近又は接触させるだけで、ナースコールセンター等に特定の患者等がサービスを要求していることを知らせることができる。
また、袋体の内部に制御部が収納されている形態では、前記袋体の周縁の一部が開口叉は開閉可能に形成されているので、該制御部に収納されているボタン電池の交換叉は制御部のメンテナンスを容易に実施することができる。
また、本考案のナースコールスイッチは、ベッドのヘッドボード、フットボード、移動介助バー或いはベッド柵等に着脱自在に係止する係止部が設けられているので、手指が不自由な患者の病状に応じて、最適な位置に設置することができる。
【図面の簡単な説明】
【００１６】
【図１】本考案の第一実施形態の一例を示した静電容量型のナースコールスイッチであり、（ａ）は正面図、（ｂ）は一部を断面とした拡大側面図である。
【図２】本考案の第一実施形態の他例１を示した静電容量型のナースコールスイッチであり、（ａ）は正面図、（ｂ）は一部を断面とした拡大側面図である。
【図３】本考案の第一実施形態の他例２を示した静電容量型のナースコールスイッチであり、（ａ）は正面図、（ｂ）は一部を断面とした拡大側面図である。
【図４】本考案の第一実施形態の他例３を示した静電容量型のナースコールスイッチであり、（ａ）は正面図、（ｂ）は一部を断面とした拡大側面図である。
【図５】本考案の第一実施形態の一例を示した静電容量型のナースコールスイッチの構成を示したブロック図であり、（ａ）は無線送信方式、（ｂ）は有線送信方式である。
【図６】本考案の第二実施形態の一例を示した電磁誘導型のナースコールスイッチであり、（ａ）は正面図、（ｂ）は一部を断面とした拡大側面図である。
【図７】本考案の第二実施形態の一例を示した電磁誘導型のナースコールスイッチの構成を示したもので、無線送信方式のブロック図である。
【図８】本考案の第三実施形態の一例を示した荷重検知型のナースコールスイッチであり、（ａ）は正面図、（ｂ）は一部を断面とした拡大側面図である。
【図９】本考案の第三実施形態の一例を示した荷重検知型のナースコールスイッチの構成を示したもので、無線送信方式のブロック図である。
【図１０】本考案の係止手段の一例を示した斜視図である。
【図１１】本考案の係止手段の他例を示した斜視図である。
【考案を実施するための形態】
【００１７】
（第一実施形態）
以下、本考案の実施形態について図面を参照して詳細に説明する。図１は、本考案の第一実施形態の一例を示した静電容量型のナースコールスイッチであり、（ａ）は正面図、（ｂ）は一部を断面とした拡大側面図である。なお、各図において同一部材は同一符号を付与している。図１において、静電容量型のナースコールスイッチ１ａはセンサー部２ａ、制御部３ａ及び袋体８を含んで構成されている。
【００１８】
センサー部２ａは、手部や足部を容易に接近叉は接触することが可能な面積を有する、四辺形の樹脂シートの基板４表面に、該基板４と同形又は若干小さい相似形の電極板５を貼着した積層体としている。樹脂シートの基板４はポリ塩化ビニール（ＰＶＣ）、ポリエチレン・テレフタレート（ＰＥＴ）又はアクリル樹脂等が用いられている。これ以外の樹脂としては、熱可塑性プラスチックであるポリエチレン、ポリプロピレン、ポリスチレン、ＡＢＳ樹脂等の汎用プラスチック。エンジニアリングプラスチックである超高分子量ポリエチレン、ポリアミド（ナイロン）、ポリアセタール、ポリカーボネート、ポリプチレン・テレフタレート、ポリフェニレンオキシド。スーパーエンジニアリングプラスチックであるポリペンゾイミダゾール、ポリアミド・イミド、ポリエーテル・スルフォン、ポリスルフォン、ポリエーテル・エーテルケトン、ポニフェニレン・スルフィド、ポリテトラ・フルオロ・エチレン（四フッ化エチレン樹脂）等を用いることができる。なお、樹脂シート以外の基板材料としてはゴム、木材（合板を含む）、ダンボール等を用いることができる。
【００１９】
前記電極板５は、Ａｌ、Ｃｕ−Ｎｉ合金又はＮｉ−Ｃｒ合金等からなる金属箔が用いられている。これ以外の材料としては導電布（金属線と布を織ったもので導電性に優れた布地）、ステンレス板、真鍮板等を用いることができる。また、前記基板４と前記電極板５の積層体のみで、人体の接近又は接触に反応するセンサーとしての機能を発揮するが、病院等でナースコールスイッチ１ａとして使用するためには、防汚性や耐水性等を有することが望ましく、前記積層体をポリ塩化ビニール（ＰＶＣ）やポリエチレン・テレフタレート（ＰＥＴ）等のシートで上下から挟み、袋体８として周縁を熱溶着２３するか、叉はラミネート加工している。なお、前記熱溶着２３は、密封や密閉状態にしなくてもよい。
【００２０】
前記センサー部２ａは、積層体とする以外に、基板表面全体に金属を蒸着して形成してもよく、基板表面全体にカーボン、銀、銅等の導電物を印刷してもよい。
【００２１】
前記袋体８は、前記センサー部２ａ及び制御部３ａを収納可能な容積を有し、裏面にベッドの所定箇所に係止する係止手段５０が設けられた樹脂製の袋体である。該袋体８は、病院等でナースコールスイッチ１ａとして使用する場合に必要な防汚性や耐水性等を有する材料を用いており、例えば、ポリ塩化ビニール（ＰＶＣ）やポリエチレン・テレフタレート（ＰＥＴ）等が用いられている。
【００２２】
（第一実施形態の他例１）
図２は、本考案の第一実施形態の他例１を示した静電容量型のナースコールスイッチであり、（ａ）は正面図、（ｂ）は一部を断面とした拡大側面図である。なお、第一実施形態は制御部３ａが無線送信方式であるが、第一実施形態の他例１は制御部３ａが有線送信方式である点において相違する。この相違点については後述する。
【００２３】
（第一実施形態の他例２）
図３は、本考案の第一実施形態の他例２を示した静電容量型のナースコールスイッチであり、（ａ）は正面図、（ｂ）は一部を断面とした拡大側面図である。なお、第一実施形態の一例の制御部３ａは袋体８内部に収納されているが、第一実施形態の他例２の制御部３ａは袋体８の裏面外部に設けられている点において相違する。
【００２４】
図３において、静電容量型のナースコールスイッチ１ａはセンサー部２ａ、制御部３ａ及び袋体８を含んで構成されている。該センサー部２ａ、無線通信方式の制御部３ａ及び袋体８は前記第一実施形態の一例と同一構成である。
【００２５】
前記袋体８の裏面には、前記制御部３ａを除く部分に、略梯子形の裏板１０が設けられている。この裏板１０は電気絶縁用材料、例えば、ウレタン樹脂が用いられている。該裏板１０は、金属製のベッド柵とセンサー部を電気的に絶縁する作用、ベッド柵にセンサー部２ａがぴったり合う（フィットする）ための緩衝材としての作用、及びセンサー部２ａに手指等を接触させた時の「当り音」を消音する効果を有している。なお、該裏板１０は略梯子形に限定されるものではなく、前記袋体８の裏面に分割設置、形状変更或いは裏面全体に設置してもよい。即ち、前記袋体８がベッドのヘッドボード、フットボード、移動介助バー或いはベッド柵と当接する部分に裏板を設けることで、前記作用、効果を得ることができる。
【００２６】
（第一実施形態の他例３）
図４は、本考案の第一実施形態の他例３を示した静電容量型のナースコールスイッチであり、（ａ）は正面図、（ｂ）は一部を断面とした拡大側面図である。図４において、静電容量型のナースコールスイッチ１ａはセンサー部２ａ、制御部３ａ及び袋体８を含んで構成されている。該センサー部２ａ、有線通信方式の制御部３ａ及び袋体８は前記第一実施形態の他例１と同一構成である。前記袋体８の裏面には、前記制御部３ａを除く部分に、略梯子形の裏板１０が設けられている。この構造及び作用は前記第一実施形態の他例２と同様である。
【００２７】
図５は、本考案の第一実施形態に係る静電容量型ナースコールスイッチの構成を示したブロック図であり、（ａ）は無線送信方式、（ｂ）は有線送信方式である。
図５（ａ）において、制御部３ａは比較・演算回路３１、信号変換回路３２、送信回路３３及び電源回路３４を含んで構成されている。前記比較・演算回路３１は、センサー部２ａの電極板５と信号ケーブル３７で接続されており、ゼンサー部２ａが新たに検知した静電容量値Ｃ・Ｓｉｇを、予め設定した基準静電容量値（閾値：スレッショルドレベル）Ｃ・Ｒｅｆと比較・演算して、新たに検知した静電容量値Ｃ・Ｓｉｇが基準静電容量値Ｃ・Ｒｅｆを超えたとき（Ｃ・Ｓｉｇ＞Ｃ・Ｒｅｆ）に、比較結果の信号を信号変換回路３２に送る。信号変換回路３２は前記比較結果の信号を汎用の出力信号（ＴＴＬ，ＣＭＯＳ等のパルス信号叉は接点信号）に変換し送信回路３３に送る。次に、送信回路３３に接続されたアンテナ３６から出力信号をナースコール装置（図示しない、以下同じ）等に送信する。また、電源回路３４はボタン電池等を内蔵している。なお、制御部３ａは開閉可能な樹脂ケース９に収納されている。
【００２８】
図５（ｂ）において、センサー部２ａからの電気信号を信号ケーブル３７で受信する比較・演算回路３１と、信号変換回路３２と、出力信号をケーブル３８から有線発信する送信回路３３及び各回路に電気を供給するために、ＡＣアダプター３９を備えた電源回路３４から構成されている。なお、制御部３ａは、前記ケーブル３８及びＡＣアダプター３９のコード部分を除いて開閉可能な樹脂ケース９に収納されている。また、前記袋体８の周縁から、前記ケーブル３８及びＡＣアダプター３９のコードが引き出されている。
【００２９】
（第二実施形態の一例）
図６は、本考案の第二実施形態の一例を示した電磁誘導型のナースコールスイッチであり、（ａ）は正面図、（ｂ）は一部を断面とした拡大側面図である。図６において、電磁誘導型のナースコールスイッチ１ｂはセンサー部２ｂ、制御部３ｂ及び袋体８を含んで構成されている。なお、図６では制御部３ｂを袋体８内部に収納した無線送信方式を図示しているが、他の実施形態として、図２（ｂ）に示す有線方式、図３（ｂ）に示す無線方式、図４（ｂ）に示す有線方式とすることができる。
【００３０】
前記センサー部２ｂは、手部や足部を容易に接近叉は接触することが可能な面積を有する四辺形の樹脂シートの基板４の略全面に、Ａｌ、Ｃｕ−Ｎｉ合金またはＮｉ−Ｃｒ合金等からなる金属箔のコイル状素子（以下、電磁コイルという）６を貼着、ラミネート加工又は印刷により形成している。前記電磁コイル６は矩形渦巻状に形成されているが、短冊状や円形螺旋状としてもよい。また、前記電磁コイル６は１個でもよく複数個に分割してもよい。複数個に分割した場合、各電磁コイル間の接続を直列接続叉は並列接続とする。
【００３１】
前記樹脂シートの基板４はポリ塩化ビニール（ＰＶＣ）、ポリエチレン・テレフタレート（ＰＥＴ）又はアクリル樹脂等が用いられている。これ以外の樹脂としては、熱可塑性プラスチックであるポリエチレン、ポリプロピレン、ポリスチレン、ＡＢＳ樹脂等の汎用プラスチック。エンジニアリングプラスチックである超高分子量ポリエチレン、ポリアミド（ナイロン）、ポリアセタール、ポリカーボネート、ポリプチレン・テレフタレート、ポリフェニレンオキシド。スーパーエンジニアリングプラスチックであるポリペンゾイミダゾール、ポリアミド・イミド、ポリエーテル・スルフォン、ポリスルフォン、ポリエーテル・エーテルケトン、ポニフェニレン・スルフィド、ポリテトラ・フルオロ・エチレン（四フッ化エチレン樹脂）等を用いることができる。なお、樹脂シート以外の基板材料としてゴム、木材（合板を含む）、ダンボール等を用いることができる。
【００３２】
前記基板４及び電磁コイル６は、病院等でシート状ナースコールスイッチとして使用するためには、防汚性や耐水性等を有することが望ましく、ポリ塩化ビニール（ＰＶＣ）やポリエチレン・テレフタレート（ＰＥＴ）等のシートで上下から前記基板４及び電磁コイル６を挟み、袋体８として周縁を熱溶着２３するか、ラミネート加工している。なお、前記熱溶着２３は密封や密封にしなくてもよい。前記電磁コイル６から電磁誘導による検出信号を取出すために、前記電磁コイル６の両端部（始端および終端）に、それぞれ検出信号取出口２１が設けられており、該検出信号取出口２１に検出信号取出ケーブル２２が接続されている。
【００３３】
前記袋体８は樹脂製であり、前記センサー部２ｂ及び制御部３ｂを収納可能な容積を有し、裏面にベッドの所定箇所に係止する係止手段５０が設けられている。該袋体８は、病院等でナースコールスイッチ１ｂとして使用する場合に必要な防汚性や耐水性等を有する材料を用いており、例えば、ポリ塩化ビニール（ＰＶＣ）やポリエチレン・テレフタレート（ＰＥＴ）等が用いられている。
【００３４】
図７は、本考案の第二実施形態の一例を示した電磁誘導型のナースコールスイッチの構成を示したもので、無線送信方式のブロック図である。制御部３ｂは増幅回路３５、比較・演算回路３１、信号変換回路３２、送信回路３３及び電源回路３４を含んで構成されている。前記増幅回路３５はセンサー部２ｂの検出信号取出ケーブル２２から送られた電気信号を増幅するものである。比較・演算回路３１は、前記増幅回路３５から送られてきた信号値と予め設定した基準信号値（閾値：スレッショルドレベル）とを比較・演算し、新たに検知した信号値が基準信号値を超えたときに、比較結果の信号を信号変換回路３２に送る。信号変換回路３２は前記比較結果の信号を出力信号として送信回路３３に送り、送信回路３３に接続されたアンテナ３６からナースコール装置等に無線送信する。また、電源回路３４はボタン電池等を内蔵している。
【００３５】
（第三実施形態の一例）
図８は、本発明の第三実施形態の一例を示した荷重検知型のナースコールスイッチであり、（ａ）は正面図、（ｂ）は一部を断面とした拡大側面図である。図８において、荷重検知型のナースコールスイッチ１ｃはセンサー部２ｃと制御部３ｃ及び袋体８を含んで構成されている。なお、図８では制御部３ｃを袋体８内部に収納した無線送信方式のみを図示しているが、他の実施形態として、図２（ｂ）に示す有線方式、図３（ｂ）に示す無線方式、図４（ｂ）に示す有線方式とすることができる。
【００３６】
前記センサー部２ｃは、手部や足部を容易に接近叉は接触することが可能な面積を有する四辺形の樹脂シートの基板４表面に、該基板４と同形又は若干小さい相似形のピエゾ素子（圧電素子）フィルムシート７を貼着した積層体としている。
【００３７】
前記樹脂シートの基板４はポリ塩化ビニール（ＰＶＣ）、ポリエチレン・テレフタレート（ＰＥＴ）又はアクリル樹脂等が用いられている。これ以外の樹脂としては、熱可塑性プラスチックであるポリエチレン、ポリプロピレン、ポリスチレン、ＡＢＳ樹脂等の汎用プラスチック。エンジニアリングプラスチックである超高分子量ポリエチレン、ポリアミド（ナイロン）、ポリアセタール、ポリカーボネート、ポリプチレン・テレフタレート、ポリフェニレンオキシド。スーパーエンジニアリングプラスチックであるポリペンゾイミダゾール、ポリアミド・イミド、ポリエーテル・スルフォン、ポリスルフォン、ポリエーテル・エーテルケトン、ポニフェニレン・スルフィド、ポリテトラ・フルオロ・エチレン（四フッ化エチレン樹脂）等を用いることができる。なお、樹脂シート以外の基板材料としてゴム、木材（合板を含む）、ダンボール等を用いることができる。
【００３８】
前記ピエゾ素子フィルムシート７は、ポリフッ化ビニリデン（ＰＶＤＦ）、ジルコン酸チタン酸鉛（ＰＺＴ）、チタン酸バリウム（ＢａＴｉＯ３）等を用いてフィルム状に形成されたもので、荷重（押圧力）を電圧に変換するものである。前記基板４と前記ピエゾ素子フィルムシート７の積層体のみで、人体の接近又は接触に反応するセンサーとしての機能を発揮するが、病院等でシート状ナースコールスイッチとして使用するためには、防汚性や耐水性等を有することが望ましく、前記積層体をポリ塩化ビニール（ＰＶＣ）やポリエチレン・テレフタレート（ＰＥＴ）等のシートで上下から前記基板４及びピエゾ素子フィルムシート７を挟み、袋体８として周縁を熱溶着２３するかラミネート加工している。なお、前記熱溶着２３は密封や密閉にしなくてもよい。
【００３９】
前記センサー部２ｃの他の実施形態としては、図示しないが、感圧センサーを用いることができる。感圧センザーには、感圧塗料を用いて荷重を電圧や抵抗値に変換するもの、人体の接触圧力による抵抗値の変化を電圧に変換するもの等がある。なお、基本的な構成及び作用は、前記ピエゾ素子フイｘルムシート７を用いたセンサーと略同一であるため詳細説明は省略する。
【００４０】
図９は、本考案の第三実施形態の一例を示した荷重検知型のナースコールスイッチの構成を示したもので、無線送信方式のブロック図である。図９において、制御部３ｃは、センサー部２ｃのピエゾ素子フィルムシート７と信号ケーブル３７で接続されており、前記ピエゾ素子フィルムシート７が新たに検知した荷重を検出信号（電圧）として比較・演算回路３１に送り、該比較・演算回路３１は該電圧を、予め設定した基準電圧（閾値：スレッショルドレベル）と比較・演算し、新たに検知した電圧値が基準電圧値を超えたときに、電気信号を信号変換回路３２に送る。該信号変換回路３２は前記電気信号を汎用の出力信号（ＴＴＬ，ＣＭＯＳ等のパルス信号や、接点信号に変換し送信回路３３に送る。送信回路３３はアンテナ３６からナースコール装置等に無線送信する。電源回路３４はボタン電池等を内蔵している。
【００４１】
図１０は、本考案の係止手段の一例を示した斜視図である。図１０において、係止片５０は可撓性を有する合成樹脂叉は金属板（例えば、ステンレス）等で形成されており、ナースコールスイッチ１ａ、１ｂ、１ｃの袋体上縁に固着する固着部５１と、該固着部５１から上部に逆Ｕ字形に延設された係止部５２が一体形成されている。ベッド柵を構成するパイプの横桟等には、前記逆Ｕ字形の開口５３を前記パイプの横桟に被着して懸架するため、前記開口５３の開口幅は、力を加えれば若干広がるバネ特性をもたせている。なお前記係止片５０以外に、図示しないが、線条や帯板で形成された逆Ｕ状叉は逆Ｌ状フック、鎖、紐、吸盤、磁石等を適用することができる。
【００４２】
図１１は、本考案の係止手段の他例を示した斜視図である。図１１において、係止片５０ａは可撓性を有する合成樹脂叉は金属板（例えば、ステンレス）等で形成されており、ナースコールスイッチ１ａ、１ｂ、１ｃの袋体上縁に設けられた係合部５４に着脱自在に係合する吊下部５５と、該吊下部５５から上部に逆Ｕ字形に延設された係止部５２が一体形成されている。ベッド柵を構成するパイプの横桟等には、前記逆Ｕ字形の開口５３を前記パイプの横桟に被着して懸架するため、前記開口５３の開口幅は、力を加えれば若干広がるバネ特性をもたせている。
係止片５０ａを，ナースコールスイッチ１ａ、１ｂ、１ｃの袋体上縁の係合部５４から取外すように形成すると、ナースコールスイッチ１ａ、１ｂ、１ｃをベットのマット上に載置した場合、該マットと袋体が、ぴったり合い（フィットして）、センサー部に手指等を接触させた時の「当り音」を消音する効果がある。
【産業上の利用可能性】
【００４３】
本考案のナースコールスイッチは、人体の接近又は接触に反応する広面積のシート状のセンサー部が形成されているので、手部が不自由な患者等であっても、該患者等が身体の一部である手部や足部を前記シート状ナースコールスイッチの表面に接近又は接触させるだけで、ナースコールセンター等に特定の患者等がサービスを要求していることを知らせることができる。このシート状ナースコールスイッチは、現在、病院等で全く使用されていない構造及び機能を有しているので、手部が不自由な患者だけでなく、一般の患者等も広く利用することができる。
【符号の説明】
【００４４】
１ａ  静電容量型のシート状ナースコールスイッチ
１ｂ  電磁誘導型のシート状ナースコールスイッチ
１ｃ  荷重検知型のシート状ナースコールスイッチ
２ａ、２ｂ、２ｃ  センサー部  ３ａ、３ｂ、３ｃ  制御部
４  基板、５  電極板、６  コイル状素子（電磁コイル）
７  ピエゾ素子フィルムシート、８  袋体、９  収納ケース、１０  裏板
２１  検出信号取出口、２２  検出信号取出ケーブル、２３  熱溶着
３１  比較・演算回路、３２  信号変換回路、３３  送信回路、３４  電源回路
３５  増幅回路、３６  アンテナ、３７  信号ケーブル、３８  ケーブル
３９  ＡＣアダプター、５０  係止手段、５１  固着部、５２  係止部、
５３  開口、５４  係合部、５５  吊下部
【図１】
0003209045.tif 000003
【図２】
0003209045.tif 000004
【図３】
0003209045.tif 000005
【図４】
0003209045.tif 000006
【図５】
0003209045.tif 000007
【図６】
0003209045.tif 000008
【図７】
0003209045.tif 000009
【図８】
0003209045.tif 000010
【図９】
0003209045.tif 000011
【図１０】
0003209045.tif 000012
【図１１】
0003209045.tif 000013